(57)【要約】【課題】美観に優れ、液晶パネルのバックライトを分ける構成とし必要に応じてバックライト光源を点灯・消灯することで使用者に表示内容をわかりやすく確実に伝えることができる洗濯機の操作表示装置を提供する。【解決手段】液晶表示パネル２８と液晶表示パネル２８の背面から照射する光源４２（４３）を有するバックライト３３と制御装置３６とを備え、バックライト３３は各表示カテゴリー毎に少なくとも２個の光源４２（４３）を設け、光源４２（４３）毎にＯＮ・ＯＦＦ制御することにより、同一の液晶表示パネル２８上で表示カテゴリー毎にバックライト３３を点灯・消灯する構成としたしたもので、使用者にわかりやく表示内容を確実に伝えることができる。【選択図】図２
2009273545.tif 000002
【特許請求の範囲】
【請求項１】
操作ボタン部と表示部とを有する操作表示パネルと、前記操作ボタン部の対応位置に設けた操作スイッチと、前記表示部の対応位置に設けた洗濯・すすぎ・脱水・乾燥の各行程の設定時間や全行程の残時間等及び洗濯内容・時間を用途別に設定した運転コース等を表示する液晶表示パネルと前記液晶表示パネルの背面から照射する光源を有するバックライトと、前記操作スイッチや前記液晶表示パネルや前記バックライトを積載した制御装置とを備え、前記バックライトは前記液晶表示パネルの洗濯・すすぎ・脱水・乾燥の各行程の設定時間や全行程の残時間等及び洗濯内容・時間を用途別に設定した運転コース等の各表示カテゴリー毎に少なくとも２個の光源を設け、光源毎にＯＮ・ＯＦＦ制御することにより、同一の液晶表示パネル上で表示カテゴリー毎にバックライトを点灯・消灯する構成とした洗濯機の操作表示装置。
【請求項２】
前記バックライトの少なくとも２個の光源は異なる色を配色する構成とした請求項１に記載の洗濯機の操作表示装置。
【請求項３】
前記バックライトの光源を発光ダイオードとし、前記制御装置には発光ダイオードの電流値を制御する電流制御部を有する請求項１または２に記載の洗濯機の操作表示装置。
【発明の詳細な説明】
【技術分野】
【０００１】
本発明は、操作ボタン部の操作に対応して表示する液晶表示パネル部を搭載した洗濯機の操作表示装置に関するものである。
【背景技術】
【０００２】
従来、この種の従来の洗濯機の操作表示装置は、図５、６に示すように構成していた（例えば、特許文献１参照）。以下、その構成について説明する。
【０００３】
図５は、従来の洗濯機の操作表示装置を備えた洗濯機の要部上面図、図６は、同洗濯機の操作表示装置の分解斜視図である。
【０００４】
図５に示すように、操作表示パネル１は、洗濯機の洗濯槽（図示せず）を開閉自在に覆う蓋２の前方（手前側）に取り付けており、この操作表示パネル１の上面にシート材で構成されたパネルシート３を貼り付けている。このパネルシート３に、操作部４、５、コース表示部６ａ、６ｂ、６ｃなどを設けている。操作部４は洗濯動作を開始するとき操作するものであり、操作部５は、所定の運転コースを選択するとき操作するものである。
【０００５】
コース表示部６ａ、６ｂ、６ｃは、操作部５により所定の運転コースを選択すると点灯する。電源入りスイッチ７ａは、洗濯機本体に電源を投入するものであり、電源切りスイッチ７ｂは、洗濯機本体の電源を遮断するものである。
【０００６】
つぎに、図６に示すように、操作表示パネル１の操作表示部８の下方に洗濯機の運転を制御する制御装置９を装着し、この制御装置９に複数のスイッチ１０を設けている。このスイッチ１０は、操作表示部８の操作ボタン部１１に対応した位置に設けられ、この操作ボタン部１１に設けた押圧部１２を押圧することでオン、オフできるように構成されている。ここで、操作ボタン部１１は、弾性を有するように形成したボタン支持部１３により操作表示部８に上下動自在に支持されている。
【０００７】
操作表示部８の上面には、弾性を有するパネルシート３を貼着し、パネルシート３に設けた操作部４、５より、操作ボタン部１１を介してスイッチ１０を押圧できるようにしている。
【０００８】
また、パネルシート３のコース表示部６ａ、６ｂ、６ｃの表示は、制御装置９にセットした表示ケース１４に設けたＬＥＤ（発光ダイオード）等からなる表示素子１５の点灯や点滅等で、裏面からパネルシート３の表面に印刷してあるコースの表示を照射することにて構成される。
【０００９】
上記表示ケース１４は、操作表示パネル１に形成した開口部である表示窓１６に下方より挿入してセットする。
【００１０】
上記構成において、その動作を説明すると、電源入りスイッチ７ａをオンし、さらに操作部５をオンする。このとき、操作ボタン部１１に設けた押圧部１２によりスイッチ１０を押圧してオンし、所定の運転コースを選択する。このとき、コース表示部６ａ、６ｂ、６ｃと順次コース内容が変わり、使用者が希望のコースを選択する（例えば、特許文献１参照）。
【特許文献１】特開２００４−０７３７０６号公報
【発明の開示】
【発明が解決しようとする課題】
【００１１】
しかしながら、このような従来の洗濯機の操作表示装置の構成では、洗濯機の各運転コースを運転するための設定方法が非常に使用者にはわかりにくく、特に操作表示パネル１のパネルシートには全ての表示内容を印刷し、その印刷部を下方からＬＥＤの点灯・消灯のみで使用者に選択の有無を確認することが必要で視認性に課題があった。
【００１２】
また、ＬＥＤ（発光ダイオード）等の表示素子１５のみの操作表示のため、表示にメリハリがなく、常に表示したい内容と必要なときだけ表示したい内容とが同じ操作表示パネル１の中に混在し、さらに表示内容の差別化ができにくいという課題があった。
【００１３】
本発明は、前記従来の課題を解決するもので、液晶パネルを用いることにより、使用者に強調したい部分を分かりやすく表示でき、しかも常に表示したい内容と必要なときだけ表示させたい内容とを区分けするために液晶パネル下のバックライト光源を分ける構成とし、コース設定時及び運転時にバックライト光源を点灯・消灯することで同液晶パネル上で文字の識別がしやすく非常に使用者にはわかりやすく、かつ美観の損なわない洗濯機の操作表示装置として提供することを目的とする。
【課題を解決するための手段】
【００１４】
前記従来の課題を解決するために、本発明の洗濯機の操作表示装置は、操作ボタン部と表示部とを有する操作表示パネルと、前記操作ボタン部の対応位置に設けた操作スイッチと、前記表示部の対応位置に設けた洗濯・すすぎ・脱水・乾燥の各行程の設定時間や全行程の残時間等及び洗濯内容・時間を用途別に設定した運転コース等を表示する液晶表示パネルと前記液晶表示パネルの背面から照射する光源を有するバックライトと、前記操作スイッチや前記液晶表示パネルや前記バックライトを積載した制御装置とを備え、前記バックライトは前記液晶表示パネルの洗濯・すすぎ・脱水・乾燥の各行程の設定時間や全行程の残時間等及び洗濯内容・時間を用途別に設定した運転コース等の各表示カテゴリー毎に少なくとも２個の光源を設け、光源毎にＯＮ・ＯＦＦ制御することにより、同一の液晶表示パネル上で表示カテゴリー毎にバックライトを点灯・消灯する構成としたものである。
【００１５】
これによって、使用者に強調したい部分を分かりやすく表示でき、しかも常に表示したい内容と必要なときだけ表示させたい内容とを区分けするために液晶パネル下のバックライト光源を分ける構成とし、コース設定時及び運転時にバックライト光源を点灯・消灯することで同液晶パネル上で文字の識別がしやすく非常に使用者にはわかりやすく、かつ美観の損なわない洗濯機の操作表示装置を実現することができる。
【発明の効果】
【００１６】
本発明の洗濯機の操作表示装置は、美観に優れ、液晶パネルのバックライトを分ける構成とし必要に応じてバックライト光源を点灯・消灯することで使用者に表示内容をわかりやすく確実に伝えることができる。
【発明を実施するための最良の形態】
【００１７】
第１の発明は、操作ボタン部と表示部とを有する操作表示パネルと、前記操作ボタン部の対応位置に設けた操作スイッチと、前記表示部の対応位置に設けた洗濯・すすぎ・脱水・乾燥の各行程の設定時間や全行程の残時間等及び洗濯内容・時間を用途別に設定した運転コース等を表示する液晶表示パネルと前記液晶表示パネルの背面から照射する光源を有するバックライトと、前記操作スイッチや前記液晶表示パネルや前記バックライトを積載した制御装置とを備え、前記バックライトは前記液晶表示パネルの洗濯・すすぎ・脱水・乾燥の各行程の設定時間や全行程の残時間等及び洗濯内容・時間を用途別に設定した運転コース等の各表示カテゴリー毎に少なくとも２個の光源を設け、光源毎にＯＮ・ＯＦＦ制
御することにより、同一の液晶表示パネル上で表示カテゴリー毎にバックライトを点灯・消灯する構成としたものである。
【００１８】
この構成により、使用者に強調したい部分を分かりやすく表示でき、しかも常に表示したい内容と必要なときだけ表示させたい内容とを区分けするために液晶パネル下のバックライト光源を分ける構成とし、コース設定時及び運転時にバックライト光源を点灯・消灯することで同液晶パネル上で文字の識別がしやすく非常に使用者にはわかりやすく、かつ美観の損なわない洗濯機の操作表示装置を実現することができる。
【００１９】
第２の発明は、特に、第１の発明のバックライトの少なくとも２個の光源は異なる色を配色する構成とすることにより、更に美観に優れ、使用者にわかりやすい洗濯機の操作表示装置を実現することができる。
【００２０】
第３の発明は、第１または第２の発明のバックライトの光源を発光ダイオードとし、前記制御装置には発光ダイオードの電流値を制御する電流制御部を有するとすることにより、ある程度の時間が経過しても操作スイッチからの信号がなかったときはバックライト光源であるＬＥＤの電流値を落とすことで、無駄な電力を抑え、省エネとなる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における洗濯機の操作表示装置の要部上面図、図２は同洗濯機の操作表示装置の図１のＡ−Ａ断面図、図３は、同洗濯機の操作表示装置を搭載した洗濯機の正面図、図４は、同洗濯機の操作表示装置の運転開始までの運転動作フローチャートである。
【００２３】
図１において、洗濯機の操作表示面全体を構成するパネルカバー２０は、プラスチック成形部材にて構成されている。
【００２４】
パネルカバー２０には、洗濯機本体４８に電源を投入する際に操作する電源入スイッチ２１および電源を遮断する際に操作する電源切スイッチ２２、洗濯等の動作をスタートあるいは一時停止する際に操作するスタートスイッチ２３がある。
【００２５】
また、洗濯のみを運転するのか、乾燥のみを運転するのか、洗濯と乾燥の両方を運転するのかを選択する洗濯・乾燥スイッチ２４、各運転コースを選択するコース選択スイッチ２５、更に洗濯・すすぎ・脱水・乾燥の各工程の詳細時間および運転するか否かを選択する個別時間設定スイッチ２６、それとその他設定スイッチ２７等を有する操作ボタン部４７と、これらの操作ボタン部４７の操作にて設定される内容を表示させる表示部３４として液晶表示パネル２４等で構成される。
【００２６】
また、液晶表示パネル２８はコース選択スイッチ２５を押すことにより運転コース内容を表示するエリアとしてサブ画面３０と、個別時間設定スイッチ２６、それとその他設定スイッチ２７を押すことにより各行程の運転時間や各機能の設定状態を表示するエリアとしてメイン画面２９を備えている。
【００２７】
図２において、パネルカバー２０の横長縦矩形状の透明窓３１に対応して、その裏面内方には、図１で説明した液晶表示パネル２８の表示を透過視認できるように液晶表示パネル２８部を透明に設けられたフィルムシート３２をインサート成型している。
【００２８】
フィルムシート３２は液晶表示パネル２８の表示する部分のみが透明になっていて周囲は液晶表示パネル２８のバックライト３３の光漏れの防止のために不透明にしている。
【００２９】
また、液晶表示パネル２８の表示部３４以外の構造体が上部斜め方向からでも見えないようにＡＢＳ等で成形した額縁３５で余分な部分を隠す構成としている。
【００３０】
３８は反射性の高い材料で成形された液晶パネル外装ケースであり、中央部には仕切り部分を有していてメイン画面２９直下にはアクリル樹脂等で光学設計の施されたメイン画面用導光板３９とサブ画面３０直下には同じくアクリル樹脂等で光学設計の施されたサブ画面用導光板４０を配置している。その導光板３９、４０の上には光を拡散させるために導光板３９、４０を覆い隠すように一体ものの拡散シート４１を配し、その拡散シート４１の上には更に拡散シートを覆い隠すように液晶表示パネル２８を配置する構成である。
【００３１】
バックライト３３にはそれぞれＬＥＤが半田付けしてあり、メイン画面２９を面で発光させる光源（メイン画面用ＬＥＤ）４２とサブ画面３０を面で発光させる光源（サブ画面用ＬＥＤ）４３がある。
【００３２】
制御装置ケース３７にビス止めした制御装置３６には各電子部品の他に液晶表示パネル２８やバックライト３３や図１で説明した各操作スイッチに対応する位置にスイッチ部品４４（スイッチ）やメイン画面ＬＥＤの電流値を制御する電流制御部４５やマイコン４６等が半田固定されており、防湿処理のために半田ディップの後にポリウレタン樹脂等で構成された防湿材からなる防湿ポッティング剤充填させて、制御装置３６の表裏に防湿処理を施す。
【００３３】
パネルカバー２０に上下動可能に一体形成された操作ボタン部４７は、押圧することより制御装置３６に装着したスイッチ部品４４に信号が入力される。
【００３４】
操作ボタン部４７の近傍には、図１にて示した電源入スイッチ２１、電源切スイッチ２２、スタートスイッチ２３、洗濯・乾燥スイッチ２４、コース選択スイッチ２５、個別時間設定スイッチ２６、その他設定スイッチ２７等の操作ボタン部の印刷表示を施す。
【００３５】
図３において、洗濯機本体４８の正面中央部に洗濯物を投入する洗濯兼脱水槽４９があり、その洗濯兼脱水槽４９の上部に操作表示パネル５０を配置させる。５１は洗濯兼脱水槽の扉である。
【００３６】
本実施の形態において図４の運転開始までの運転動作フローチャートに従い、詳細な制御動作を説明する。
【００３７】
まず、ＳＴ１では電源入スイッチ２１がＯＮするまで次の処理が行なえないように構成しており、電源入スイッチ２１がＯＮして始めてＳＴ２に移行する。
【００３８】
ＳＴ２ではメイン画面用ＬＥＤ４２及びサブ画面用ＬＥＤ４３を共に点灯させることで、液晶表示パネル２８全画面が点灯し、液晶表示パネル２８の各表示内容が表示される。
【００３９】
ＳＴ３ではスタートスイッチ２３がＯＦＦの場合はＳＴ４に移行する。
【００４０】
ＳＴ３でスタートスイッチ２３がＯＮの場合は、ＳＴ１２でメイン画面用ＬＥＤ４２は点灯し、サブ画面用ＬＥＤ４３を消灯させ洗濯運転を開始する。
【００４１】
ＳＴ４では洗濯・乾燥スイッチ２４がＯＦＦの場合はＳＴ６に移行する。
【００４２】
ＳＴ４で洗濯・乾燥スイッチ２４がＯＮの場合は、ＳＴ５でメイン画面用ＬＥＤ４２は点灯し、サブ画面用ＬＥＤ４３を点灯させ、ＳＴ３に移行する。
【００４３】
ＳＴ６ではコース選択スイッチ２５がＯＦＦの場合はＳＴ８に移行する。
【００４４】
ＳＴ６でコース選択スイッチ２５がＯＮの場合は、ＳＴ７でメイン画面用ＬＥＤ４２は消灯し、サブ画面用ＬＥＤ４３を点灯させ、ＳＴ３に移行する。
【００４５】
ＳＴ８では個別時間設定スイッチ２６がＯＦＦの場合はＳＴ１０に移行する。
【００４６】
ＳＴ８で個別時間設定スイッチ２６がＯＮの場合は、ＳＴ９でメイン画面用ＬＥＤ４２は点灯し、サブ画面用ＬＥＤ４３を消灯させ、ＳＴ３に移行する。
【００４７】
ＳＴ１０ではその他設定スイッチ２７がＯＦＦの場合はＳＴ３に移行する。
【００４８】
ＳＴ１０でその他設定スイッチ２７がＯＮの場合は、ＳＴ１１でメイン画面用ＬＥＤ４２は点灯し、サブ画面用ＬＥＤ４３を消灯させ、ＳＴ３に移行する。
【００４９】
上記のＬＥＤの点灯・消灯を行なう制御において、液晶表示パネル上の表示内容についてはＬＥＤの点灯・消灯に関わらず、常に必要な情報については点灯させた状態である。
【００５０】
以上のように構成された洗濯機の操作表示装置について、以下その動作、作用、および効果を説明する。
【００５１】
図１、図２、図３、図４において、使用者に強調したい部分を分かりやすく表示でき、しかも常に表示したい内容と必要なときだけ表示させたい内容とを区分けするために液晶表示パネル２８下のバックライト３３の光源を分ける構成とし、コース設定時及び運転時にバックライト３３の光源を点灯・消灯することで同液晶パネル上で文字の識別がしやすく非常に使用者にはわかりやすく、かつ美観の損なわない洗濯機の操作表示装置を実現することができる。
【００５２】
また、バックライト３３の２個の光源を異なる色を配色する構成とすることもでき、更に美観に優れ、使用者にわかりやすい洗濯機の操作表示装置を実現することができる。
【００５３】
また、洗濯運転を開始したあとに、使用者が操作スイッチ４７に触らず、数分経過したのを検知したときに、電流制御部４５でバックライト光源であるＬＥＤの電流値を落とすことで、無駄な電力を抑え、省エネとなる。
【００５４】
また、本実施の形態では、各操作ボタン部４７を押すことにより、バックライト３３の光源を点灯・消灯することで、使用者が使いやすい操作表示装置を提供することができたが、操作ボタン部４７のＯＮ・ＯＦＦ信号によってバックライト３３の光源の点灯・消灯を制御するのではなく、操作ボタン部４７を押す前にあらかじめ決めた点灯・消灯のタイミングでバックライト３３を点灯・消灯させ、使用者に操作してもらいたい内容を誘導しながら点灯・消灯を行ない使用者に操作の誘導を促すとしてもよい。
【００５５】
また、本実施の形態では、バックライト３３光源を２個として記載したが、光源の数を増やして、液晶表示パネル２８の表示カテゴリー別に光源を複数個設け、より使用者にわかりやすくしてもよい。
【００５６】
上記実施の形態１は、洗濯機について記載したが、液晶パネルを使用する電気機器であれば、同等の構成とすることにより、同等の効果を得ることができることは言うまでもない。
【産業上の利用可能性】
【００５７】
本発明の洗濯機の操作表示装置は、美観に優れ、液晶パネルのバックライトを分ける構成とし必要に応じてバックライト光源を点灯・消灯することで使用者に表示内容をわかりやすく確実に伝えることができるため、操作ボタン部、表示部を有する各種機器に適用できる。
【図面の簡単な説明】
【００５８】
【図１】本発明の実施の形態１における洗濯機の操作表示装置の要部上面図
【図２】同洗濯機の操作表示装置の図１のＡ−Ａ断面図
【図３】同洗濯機の操作表示装置を搭載した洗濯機の正面図
【図４】同洗濯機の操作表示装置の運転開始までの運転動作フローチャート
【図５】従来の洗濯機の操作表示装置を備えた洗濯機の要部上面図
【図６】同洗濯機の操作表示装置の分解斜視図
【符号の説明】
【００５９】
２８  液晶表示パネル
３３  バックライト
３４  表示部
３６  制御装置
４２  メイン画面用ＬＥＤ（光源）
４３  サブ画面用ＬＥＤ（光源）
４４  操作スイッチ
４５  電流制御部
４７  操作ボタン部
５０  操作表示パネル
【図２】
2009273545.tif 000003
【図３】
2009273545.tif 000004
【図４】
2009273545.tif 000005
【図５】
2009273545.tif 000006
【図６】
2009273545.tif 000007
【図１】
2009273545.tif 000008